(57)【要約】【課題】  杭軸方向への動きを規制できるとともに、杭軸方向に直交する方向への動きをも規制できる基礎打ち込み金具を提供する。【解決手段】本発明に係る基礎打ち込み金具１は、建造物の支柱が立設される中空状の杭本体１００を備え、杭本体１００の一部が地中に埋設される。杭本体１００は、一部が地上に配置される地上側中空部１１０と、地上側中空部１１０の下端１１１に連結され、全てが地中に配置される地中内中空部１２０と、地中内中空部１２０の下端１２４に連結され、地上側中空部１１０から最も離れる初期位置と、地上側中空部１１０に最も近づく後退位置との間で移動する先端部１３０とを備える。地中内中空部１２０は、先端部１３０が初期位置から後退位置に移動することに伴い、地上側中空部１１０の外周壁１１３よりも広がる。【選択図】図１
2013189836.tif 000002
【特許請求の範囲】
【請求項１】
建造物の支柱が立設される中空状の杭本体を備え、前記杭本体の一部が地中に埋設される基礎打ち込み金具であって、
前記杭本体は、
一部が地上に配置される地上側中空部と、
前記地上側中空部の下端に連結され、全てが地中に配置される地中内中空部と、
前記地中内中空部の下端に連結され、前記地上側中空部から最も離れる初期位置と、前記地上側中空部に最も近づく後退位置との間で移動する先端部と
を備え、
前記地中内中空部は、前記先端部が前記初期位置から前記後退位置に移動することに伴い、前記地上側中空部の外壁よりも広がることを特徴とする基礎打ち込み金具。
【請求項２】
請求項１に記載の基礎打ち込み金具であって、
前記先端部を前記初期位置と前記後退位置との間で移動させる移動部をさらに備えることを特徴とする基礎打ち込み金具。
【請求項３】
請求項１又は請求項２に記載の基礎打ち込み金具であって、
前記地中内中空部は、前記杭本体の軸方向に沿って形成されたスリットにより分割される複数の羽根部によって構成され、
複数の前記羽根部は、前記初期位置において前記地上側中空部の外壁よりも外方に突出する突出部分を有することを特徴とする基礎打ち込み金具。
【請求項４】
請求項１乃至請求項３の何れかに記載の基礎打ち込み金具であって、
前記杭本体は、
中央に位置する中央杭と、
前記中央杭の周囲に設けられる複数の外側杭と
によって構成され、
前記中央杭は、複数の前記外側杭と連結されることを特徴とする基礎打ち込み金具。
【発明の詳細な説明】
【技術分野】
【０００１】
本発明は、屋外に設置される建造物の支柱が立設される基礎打ち込み金具に関する。
【背景技術】
【０００２】
従来から、屋外に設置される建造物（例えば、太陽光パネルや各種倉庫）を建設する場合、建造物の基礎をなす基礎打ち込み金具を地中に打ち込み、その基礎打ち込み金具上に建造物の支柱を立設することが行われている。
【０００３】
この種の基礎打ち込み金具として、円筒状の杭本体の外周に螺旋状リブが設けられたものが知られている（例えば、特許文献１参照）。この螺旋状リブが設けられた基礎打ち込み金具（以下、螺旋杭）では、杭本体を回転させながら地中の所望の位置まで圧入することによって、杭本体を地中に埋設できる。
【先行技術文献】
【特許文献】
【０００４】
【特許文献１】特開２００７−２０５１０８号公報
【発明の概要】
【発明が解決しようとする課題】
【０００５】
しかしながら、上述した従来の螺旋杭では、螺旋状リブが杭本体の外周から突出しているため、この螺旋状リブにより杭軸方向（いわゆる、上下方向）への動きは規制できるものの、杭軸方向に直交する方向（いわゆる、水平方向）への動きを規制することができないという問題があった。
【０００６】
そこで、本発明は、杭軸方向への動きを規制できるとともに、杭軸方向に直交する方向への動きをも規制できる基礎打ち込み金具の提供を目的とする。
【課題を解決するための手段】
【０００７】
上述した課題を解決するため、本発明は、次のような特徴を有している。まず、本発明の第１の特徴は、建造物の支柱が立設される中空状の杭本体（杭本体１００）を備え、前記杭本体の一部が地中に埋設される基礎打ち込み金具（基礎打ち込み金具１）であって、前記杭本体は、一部が地上に配置される地上側中空部（地上側中空部１１０）と、前記地上側中空部の下端（下端１１１）に連結され、全てが地中に配置される地中内中空部（地中内中空部１２０）と、前記地中内中空部の下端（下端１２４）に連結され、前記地上側中空部から最も離れる初期位置と、前記地上側中空部に最も近づく後退位置との間で移動する先端部（先端部１３０）とを備え、前記地中内中空部は、前記先端部が前記初期位置から前記後退位置に移動することに伴い、前記地上側中空部の外壁（外周壁１１３）よりも広がることを要旨とする。
【０００８】
かかる特徴によれば、地中内中空部は、先端部が初期位置から後退位置に移動することに伴い、地上側中空部の外壁よりも広がる。つまり、地中内中空部が地中内で杭本体の軸方向に直交する方向（いわゆる、水平方向）へ広がるため、杭本体が地中内で安定する。このため、杭本体の軸方向（いわゆる、上下方向）への動き（例えば、抜け）を規制できるとともに、軸方向に直交する方向への動き（例えば、揺れ）をも規制できる。
【０００９】
本発明の第２の特徴は、本発明の第１の特徴に係る基礎打ち込み金具であって、前記先端部を前記初期位置と前記後退位置との間で移動させる移動部（移動部１４０）をさらに備えることを要旨とする。
【００１０】
かかる特徴によれば、基礎打ち込み金具は、先端部を初期位置と後退位置との間で移動させる移動部をさらに備える。これにより、先端部を容易に移動でき、地中内で地中内中空部を確実に広げることができる。このため、杭本体の動きを規制できることに加えて、基礎打ち込み金具の設置作業（埋設作業）をも容易にできる。
【００１１】
本発明の第３の特徴は、本発明の第１又は第２の特徴に係る基礎打ち込み金具であって、前記地中内中空部は、前記杭本体の軸方向（杭軸方向ＳＤ）に沿って形成されたスリット（スリット１２１Ｓ）により分割される複数の羽根部（羽根部１２１）によって構成され、複数の前記羽根部は、前記初期位置において前記地上側中空部の外壁よりも外方に突出する突出部分（突出部分１２３）を有することを要旨とする。
【００１２】
かかる特徴によれば、複数の羽根部は、初期位置において地上側中空部の外壁よりも外方に突出する突出部分を有する。これにより、先端部が初期位置から後退位置に移動する際に、複数の羽根部が内方に折れ曲がってしまうことを防止できる。このため、地中内で複数の羽根部（地中内中空部）をより確実に広げることができる。
【００１３】
本発明の第４の特徴は、本発明の第１乃至第３の特徴に係る基礎打ち込み金具であって、前記杭本体は、中央に位置する中央杭（中央杭１１）と、前記中央杭の周囲に設けられる複数の外側杭（外側杭１２（１２Ａ〜１２Ｄ））とによって構成され、前記中央杭は、複数の前記外側杭と連結されることを要旨とする。
【００１４】
かかる特徴によれば、中央杭は、複数の外側杭と連結される。中央杭や各外側杭の軸方向に直交する方向（いわゆる、水平方向）への動きがさらに規制され、より安定した基礎打ち込み金具を提供できる。従って、建造物の支柱がより安定し、安定性に優れた建造物を建設できる。
【発明の効果】
【００１５】
本発明の特徴によれば、杭軸方向への動きを規制できるとともに、杭軸方向に直交する方向への動きをも規制できる基礎打ち込み金具を提供することができる。
【図面の簡単な説明】
【００１６】
【図１】図１は、本実施形態に係る基礎打ち込み金具の全体を示す斜視図である。
【図２】図２は、本実施形態に係る基礎打ち込み金具の全体を示す側面図である。
【図３】図３は、本実施形態に係る基礎打ち込み金具の全体を示す平面図である。
【図４】図４は、本実施形態に係る杭本体を示す斜視図である。
【図５】図５（ａ）は、本実施形態に係る地中内中空部の初期位置を示す一部端面図であり、図５（ｂ）は、本実施形態に係る地中内中空部の初期位置を示す断面図（図５（ａ）のＡ−Ａ断面図）である。
【図６】図６（ａ）は、本実施形態に係る地中内中空部の途中位置を示す一部端面図であり、図６（ｂ）は、本実施形態に係る地中内中空部の途中位置を示す断面図（図５（ａ）のＢ−Ｂ断面図）である。
【図７】図７（ａ）は、本実施形態に係る地中内中空部の後退位置を示す一部端面図であり、図７（ｂ）は、本実施形態に係る地中内中空部の後退位置を示す断面図（図５（ａ）のＣ−Ｃ断面図）である。
【図８】図８は、本実施形態に係る基礎打ち込み金具の埋設方法を説明するための図である。
【発明を実施するための形態】
【００１７】
次に、本発明に係る基礎打ち込み金具の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきである。また、図面相互間においても互いの寸法の関係や比率が異なる部分が含まれ得る。
【００１８】
（基礎打ち込み金具の構成）
まず、本実施形態に係る基礎打ち込み金具１の構成について、図面を参照しながら説明する。図１は、本実施形態に係る基礎打ち込み金具１の全体を示す斜視図である。図２は、本実施形態に係る基礎打ち込み金具１の全体を示す側面図である。図３は、本実施形態に係る基礎打ち込み金具１の全体を示す平面図である。
【００１９】
図１〜図３に示すように、基礎打ち込み金具１は、屋外に設置される建造物（例えば、太陽光パネルや各種倉庫）を建設する場合に用いられる。基礎打ち込み金具１は、建造物の支柱が立設される中空状（実施形態では、円筒状）の杭本体１００を備えている。
【００２０】
杭本体１００は、一部が地中に埋設されるものであり、例えば、鋼材によって形成されている。杭本体１００は、中央に位置する中央杭１１と、中央杭１１の周囲に位置する４つの外側杭１２（１２Ａ〜１２Ｄ）とによって構成されている。
【００２１】
中央杭１１には、基板（不図示）が取り付けられ、この基板に建造物の支柱が立設されるようになっている。杭本体１００の軸方向（以下、杭軸方向ＳＤ）に対する中央杭１１の長さＬ１１は、杭軸方向ＳＤに対する外側杭１２（１２Ａ〜１２Ｄ）の長さＬ１２よりも長くなっている。
【００２２】
中央杭１１は、連結部材２０を介して外側杭１２（１２Ａ〜１２Ｄ）に連結されている。連結部材２０は、例えば、鋼材によって形成されている。連結部材２０は、中央筒部２１と、外側筒部２２（２２Ａ〜２２Ｄ）と、連結板部２３（２３Ａ〜２３Ｄ）と、補強板部２４とを備えている。
【００２３】
中央筒部２１及び各外側筒部２２（２２Ａ〜２２Ｄ）は、中央杭１１又は各外側杭１２（１２Ａ〜１２Ｄ）の径よりも大きい径をそれぞれ有しており、中央杭１１又は各外側杭１２（１２Ａ〜１２Ｄ）にそれぞれ装着される。中央筒部２１及び各外側筒部２２（２２Ａ〜２２Ｄ）は、中央杭１１又は各外側杭１２（１２Ａ〜１２Ｄ）の外周に固定用ボルト２５，２５Ａ〜２５Ｄ（図３参照）を介してそれぞれ固定されている。
【００２４】
各連結板部２３（２３Ａ〜２３Ｄ）は、中央筒部２１と各外側筒部２２（２２Ａ〜２２Ｄ）とを連結している。各連結板部２３（２３Ａ〜２３Ｄ）は、中央杭１１と外側杭１２（１２Ａ〜１２Ｄ）との間隔を規制している。また、補強板部２４は、中央筒部２１と各連結板部２３（２３Ａ〜２３Ｄ）とを連結している。補強板部２４は、各連結板部２３（２３Ａ〜２３Ｄ）の配置を規制している。
【００２５】
（杭本体の構成）
次に、上述した杭本体１００（中央杭１１及び外側杭１２（１２Ａ〜１２Ｄ））の構成について、図面を参照しながら説明する。図４は、本実施形態に係る杭本体１００を示す斜視図である。図５〜図７は、本実施形態に係る地中内中空部１２０の拡張状態を示す図である。なお、以下において、中央杭１１及び外側杭１２（１２Ａ〜１２Ｄ）は、基本的に同様の構成であるため、中央杭１１（以下、単に杭本体１００と称する）を例に説明する。
【００２６】
図４〜図７に示すように、杭本体１００は、一部が地上に配置される地上側中空部１１０と、全てが地中に配置される地中内中空部１２０と、地上側中空部１１０から最も離れる初期位置（図５参照）と、地上側中空部１１０に最も近づく後退位置（図７参照）との間で移動する先端部１３０と、先端部１３０を初期位置と後退位置との間で移動させる移動部１４０を備えている。
【００２７】
地上側中空部１１０は、杭軸方向ＳＤに対して同一径を有している。地上側中空部１１０の下端１１１には、地上側中空部１１０の内周壁に固定され端面１１２が設けられている。この端面１１２には、後述する六角ボルト１４１が挿通されるボルト孔１１２Ａが形成されている。
【００２８】
地中内中空部１２０は、地上側中空部１１０の下端１１１に連結されている。地中内中空部１２０は、先端部１３０が初期位置から後退位置に移動することに伴い、地上側中空部１１０の外周壁１１３よりも広がる（拡張する）ようになっている。
【００２９】
地中内中空部１２０は、杭軸方向ＳＤに沿って形成されたスリット１２１Ｓにより分割される複数の羽根部１２１によって構成されている。
【００３０】
スリット１２１Ｓは、複数の羽根部１２１を地上側中空部１１０の外周壁１１３よりも広げるために形成されており、複数の羽根部１２１を折れ曲がりやすくする役目も有している。具体的には、スリット１２１Ｓには、他の部分よりも大きく形成された上方折曲空間１２２Ａと、中央折曲空間１２２Ｂと、下方折曲空間１２２Ｃとが設けられている（図４参照）。これにより、上方折曲空間１２２Ａや中央折曲空間１２２Ｂ、下方折曲空間１２２Ｃが折れ曲がる基点となり、複数の羽根部１２１が地上側中空部１１０の外周壁１１３よりも広がるようになっている。
【００３１】
複数の羽根部１２１は、初期位置（図５参照）において地上側中空部１１０の外周壁１１３よりも外方に突出する突出部分１２３を有している。この突出部分１２３は、スリット１２１Ｓの中央折曲空間１２２Ｂに位置している。
【００３２】
このような複数の羽根部１２１は、突出部分１２３よりも地上側中空部１１０側に位置する上側面群１２１Ａと、突出部分１２３よりも先端部１３０側に位置する下側面群１２１Ｂとによって構成されている。上側面群１２１Ａは、突出部分１２３から地上側中空部１１０に向かって除々に細径となっている。一方、下側面群１２１Ｂは、突出部分１２３から先端部１３０に向かって除々に細径となっている。
【００３３】
先端部１３０は、地中内中空部１２０の下端１２４に連結されている。先端部１３０は、断面コ字状に形成されている。具体的には、先端部１３０は、杭軸方向ＳＤに直交する方向（以下、水平方向ＨＤ）に沿った水平面１３１と、水平面１３１の外周で杭軸方向ＳＤに沿った外枠縁１３２とによって構成されている。水平面１３１には、後述する六角ボルト１４１が挿通されるボルト孔１３１Ａが形成されている。水平面１３１の外側には、後述するナット１４２が固定されている。
【００３４】
移動部１４０は、六角ボルト１４１と、水平面１３１に固定されるナット１４２とによって構成されている。六角ボルト１４１は、地上側中空部１１０の端面１１２に形成されたボルト孔１１２Ａや先端部１３０の水平面１３１に形成されたボルト孔１３１Ａ、及びナット１４２に挿通される。このとき、六角ボルト１４１の頭部１４１Ａは、先端部１３０の水平面１３１（ボルト孔１３１Ａの縁部）に当接している。
【００３５】
（基礎打ち込み金具の埋設方法）
次に、上述した基礎打ち込み金具１を地中に埋設する方法について、図５〜図９を参照しながら説明する。図８は、本実施形態に係る基礎打ち込み金具１の埋設方法を説明するための図である。
【００３６】
まず、中央杭１１及び外側杭１２（１２Ａ〜１２Ｄ）を地中に打ち込む。すなわち、図５に示すように、中央杭１１及び外側杭１２（１２Ａ〜１２Ｄ）を地中の所望の位置まで圧入することによって、中央杭１１及び外側杭１２（１２Ａ〜１２Ｄ）を地中に埋設する。
【００３７】
次いで、六角ボルト１４１を回転させる治具（不図示）を用いて、中央杭１１及び外側杭１２（１２Ａ〜１２Ｄ）内に設けられた六角ボルト１４１を除々に回転させる。すると、図６に示すように、六角ボルト１４１とナット１４２との螺合により、先端部１３０が初期位置から後退位置までの途中の位置（途中位置）に向かって除々に移動する。このとき、地中内中空部１２０が地上側中空部１１０の外周壁１１３よりも少しずつ広がっていく。
【００３８】
次いで、上記治具（不図示）を用いて六角ボルト１４１をさらに回転させると、図７に示すように、先端部１３０が途中位置から後退位置に向かってさらに移動する。このとき、地中内中空部１２０が地上側中空部１１０の外周壁１１３よりも完全に広がる。
【００３９】
その後、図８（ａ）に示すように、地上に突出した中央杭１１及び外側杭１２（１２Ａ〜１２Ｄ）に、連結部材２０を取り付ける。そして、図８（ｂ）に示すように、固定用ボルト２５，２５Ａ〜２５Ｄを用いて、中央杭１１の外周に中央筒部２１を固定し、各外側杭１２（１２Ａ〜１２Ｄ）の外周に各外側筒部２２（２２Ａ〜２２Ｄ）を固定する。
【００４０】
このように埋設された基礎打ち込み金具１の中央杭１１に取り付けられた基板（不図示）上に建造物の支柱が立設され、屋外に設置される建造物を建設することができる。
【００４１】
（作用・効果）
以上説明した本実施形態では、地中内中空部１２０は、先端部１３０が初期位置から後退位置に移動することに伴い、地上側中空部１１０の外周壁１１３よりも広がる。つまり、地中内中空部１２０が地中内で水平方向ＨＤへ広がるため、杭本体１００が地中内で安定する。このため、杭軸方向ＳＤへの動き（例えば、抜け）を規制できるとともに、水平方向ＨＤへの動き（例えば、揺れ）をも規制できる。
【００４２】
本実施形態では、基礎打ち込み金具１は、先端部１３０を初期位置と後退位置との間で移動させる移動部１４０をさらに備える。これにより、先端部１３０を容易に移動でき、地中内で地中内中空部１２０を確実に広げることができる。このため、杭本体１００の動きを規制できることに加えて、基礎打ち込み金具１の設置作業（埋設作業）をも容易にできる。
【００４３】
本実施形態では、複数の羽根部１２１は、初期位置において地上側中空部１１０の外周壁１１３よりも外方に突出する突出部分１２３を有する。これにより、先端部１３０が初期位置から後退位置に移動する際に、複数の羽根部１２１が内方に折れ曲がってしまうことを防止できる。このため、地中内で複数の羽根部１２１（すなわち、地中内中空部１２０）をより確実に広げることができる。
【００４４】
本実施形態では、中央杭１１は、連結部材２０を介して各外側杭１２（１２Ａ〜１２Ｄ）と連結される。これにより、中央杭１１や各外側杭１２（１２Ａ〜１２Ｄ）の水平方向ＨＤへの動きがさらに規制され、より安定した基礎打ち込み金具１を提供できる。従って、建造物の支柱がより安定し、安定性に優れた建造物を建設できる。
【００４５】
本実施形態では、中央杭１１の長さＬ１１は、各外側杭１２（１２Ａ〜１２Ｄ）の長さＬ１２よりも長くなっている。これにより、杭本体１００の動きを規制できることに加えて、各外側杭１２（１２Ａ〜１２Ｄ）の埋設作業をも容易にできる。
【００４６】
本実施形態では、連結部材２０は、連結板部２３（２３Ａ〜２３Ｄ）を備えている。これにより、杭本体１００の水平方向ＨＤへの動き（図３の紙面上下や左右への揺れ）をさらに防止できる。
【００４７】
本実施形態では、連結部材２０は、補強板部２４を備えている。これにより、連結板部２３（２３Ａ〜２３Ｄ）の水平方向ＨＤへの動き（図３の紙面上下や左右への揺れ）を防止でき、杭本体１００の水平方向ＨＤへの動きをさらに防止できる。
【００４８】
（その他の実施形態）
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００４９】
例えば、本発明の実施形態は、次のように変更することができる。具体的には、建造物を建設する場合について説明したが、これに限定されるものではなく、建造物を破壊して埋設された基礎打ち込み金具１を地中から引き抜く際には、地中内中空部１２０（複数の羽根部１２１）が埋設方法とは逆の動きとなっていてもよい。すなわち、地中内中空部１２０は、先端部１３０が後退位置から初期位置に移動することに伴い、もとの位置に復元する（縮小する）ようになっていてもよい。
【００５０】
杭本体１００は、円筒状に形成されているものとして説明したが、これに限定されるものではなく、中空状であればよく、例えば、三角筒状や四角筒状であってもよい。
【００５１】
また、中央杭１１の長さＬ１１は、外側杭１２（１２Ａ〜１２Ｄ）の長さＬ１２よりも長くなっているものとして説明したが、これに限定されるものではなく、外側杭１２（１２Ａ〜１２Ｄ）の長さＬ１２と同等であってもよく、外側杭１２（１２Ａ〜１２Ｄ）の長さＬ１２よりも短くなっていてもよい。
【００５２】
また、杭本体１００は、移動部１４０を備えているものとして説明したが、これに限定されるものではなく、先端部１３０を初期位置と後退位置との間で移動できれば、必ずしも移動部１４０を備えていなくてもよい。例えば、先端部１３０が地中の所望の位置で停止して地上側中空部１１０が圧入され続けることによって、地中内中空部１２０が広がってもよい。
【００５３】
また、地中内中空部１２０は、スリット１２１Ｓにより分割される複数の羽根部１２１によって構成されるものとして説明したが、これに限定されるものではなく、地上側中空部１１０の外周壁１１３よりも広げられる構成であればよい。
【００５４】
また、スリット１２１Ｓには、複数の羽根部１２１が折れ曲がる基点となる上方折曲空間１２２Ａや中央折曲空間１２２Ｂ、下方折曲空間１２２Ｃが設けられているものとして説明したが、これに限定されるものではなく、各空間が設けられていなくてもよい。例えば、スリット１２１Ｓに、複数の羽根部１２１の折れ曲がる基点にスリット１２１Ｓ間を繋ぐ部分（例えば、溝や切り込みなどの厚さが薄くなる部分）が設けられていてもよく、ヒンジ機構等が設けられていてもよい。
【００５５】
また、複数の羽根部１２１は、初期位置において地上側中空部１１０の外周壁１１３よりも外方に突出する突出部分１２３を有しているものとして説明したが、突出部分１２３が必ずしも突出する必要はなく、地上側中空部１１０の外周壁１１３とほぼ同等の位置に設けられていてもよい。
【００５６】
また、地中内中空部１２０は、杭本体１００の地中内の先端側に設けられているものとして説明したが、これに限定されるものではなく、地中内に設けられていればよい。例えば、地中内中空部１２０は、杭本体１００の中間部分に設けられていてもよい。この場合、地中内中空部１２０を広げさせる手段としての先端部１３０（拡縮手段）が杭本体１００の中央部分に設けられることとなる。
【００５７】
また、杭本体１００は、中央杭１１と４つの外側杭１２（１２Ａ〜１２Ｄ）とによって構成されるものとして説明したが、必ずしも４つの外側杭１２（１２Ａ〜１２Ｄ）である必要はなく、１つや複数の外側杭１２（１２Ａ〜１２Ｄ）であってもよい。なお、杭本体１００は、必ずしも中央杭１１と外側杭１２（１２Ａ〜１２Ｄ）とによって構成される必要もなく、中央杭１１のみによって構成されていてもよい。
【００５８】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００５９】
１…基礎打ち込み金具
１１…中央杭
１２（１２Ａ〜１２Ｄ）…外側杭
２０…連結部材
１００…杭本体
１１０…地上側中空部
１２０…地中内中空部
１２１…羽根部
１２１Ｓ…スリット
１２３…突出部分
１３０…先端部
１４０…移動部
ＳＤ…杭軸方向
ＨＤ…水平方向
【図１】
2013189836.tif 000003
【図２】
2013189836.tif 000004
【図３】
2013189836.tif 000005
【図４】
2013189836.tif 000006
【図５】
2013189836.tif 000007
【図６】
2013189836.tif 000008
【図７】
2013189836.tif 000009
【図８】
2013189836.tif 000010